(57)【要約】制御セグメント内のシグナリングメッセージを送受信するための技法が記述される。制御セグメントは、多数のＯＦＤＭシンボルでＣＤＭと共に送られ得る。受信機では、受信シーケンスは、制御セグメントのために取得される。時間領域シグナリングシーケンスは、制御セグメントで送られたと仮定されるシグナリングメッセージに基づいて生成される。相関シーケンスは、シグナリングシーケンスに基づいて生成される。１つの設計では、シグナリングシーケンスは、多数のサブシーケンスに分割される、ここで、１つのサブシーケンスは、制御セグメントが送られた各シンボル周期のためのものである。各サブシーケンスは、チャネルタップ遅延によって決定された量によって周期的にシフトする。その後、関連シーケンスは、周期的にシフトしたサブシーケンスすべてを連結することによって形成される。相関シーケンスは、さらに他の方法で生成され得る。受信シーケンスは、シグナリングメッセージが制御セグメントで送られたかどうか判断するために相関シーケンスと相関させられる。
2011523537.tif 000002
【特許請求の範囲】
【請求項１】
多数のシンボル周期にまたがる制御セグメントのために受信シーケンスを取得し、シグナリングメッセージが前記制御セグメントで送られたかどうか判断するために前記受信シーケンスについて相関を実行するよう構成されるプロセッサと、
前記プロセッサに結合されたメモリと、
を備える装置。
【請求項２】
前記プロセッサは、前記シグナリングメッセージに基づいてシグナリングシーケンスを生成し、前記シグナリングシーケンスに基づいて相関シーケンスを生成し、前記シグナリングメッセージが前記制御セグメントで送られたかどうか判断するために前記相関シーケンスと前記受信シーケンスを相関させる、ように構成される、
請求項１に記載の装置。
【請求項３】
前記プロセッサは、前記シグナリングシーケンスを多数のサブシーケンスに分割し、なお、１つのサブシーケンスは、前記多数のシンボル周期の各々のためのものである、前記多数のサブシーケンスの各々を周期的にシフトし、多数の周期的にシフトしたサブシーケンスに基づいて前記相関シーケンスを形成する、ように構成される、
請求項２に記載の装置。
【請求項４】
前記プロセッサは、チャネルタップ遅延によって決定された量によって前記多数のサブシーケンスの各々を周期的にシフトするように構成される、
請求項３に記載の装置。
【請求項５】
前記プロセッサは、周期的にシフトしたサブシーケンス各々の部分をゼロで埋めるように構成される、なお、前記ゼロで埋める部分は、サイクリックプレフィックス長を越える前記チャネルタップ遅延の部分に対応する、
請求項４に記載の装置。
【請求項６】
前記プロセッサは、前記シグナリングプロセッサを多数のサブシーケンスに分割し、なお、１つのサブシーケンスは、前記多数のシンボル周期の各々のためのものである、前記多数のサブシーケンスの各々にサイクリックプレフィックスを付加することによって第１のサブシーケンスを取得し、前記第１のシーケンスに少なくとも１つのゼロを付加することによって第２のシーケンスを取得し、前記第２のシーケンスに基づいて前記相関シーケンスを生成する、ように構成される、
請求項２に記載の装置。
【請求項７】
前記第１のシーケンスに付加されるゼロの数は、チャネルタップ遅延によって決定される、
請求項６に記載の装置。
【請求項８】
前記プロセッサは、前記第２のシーケンスを多数の第２のサブシーケンス分割し、なお、１つの第２のサブシーケンスは、前記多数のシンボル周期の各々のためのものである、前記多数の第２のサブシーケンス各々からサイクリックプレフィックスを除去し、前記サイクリックプレフィックスを除去した多数の第２のサブシーケンスに基づいて前記相関シーケンスを生成する、ように構成される、
請求項６に記載の装置。
【請求項９】
前記プロセッサは、前記受信シーケンスと前記相関シーケンスとの間の前記相関に対する相関結果を取得し、前記相関結果を閾値と比較し、前記シグナリングメッセージが前記相関結果と前記閾値との間の前記比較に基づいて前記制御セグメントで送られたかどうか判断する、ように構成される、
請求項２に記載の装置。
【請求項１０】
前記プロセッサは、推定されたノイズエネルギーに基づいて前記閾値を決定するように構成される、
請求項９に記載の装置。
【請求項１１】
前記プロセッサは、少なくとも１つのチャネルタップの各々のために前記受信シーケンスについて相関を実行し、前記少なくとも１つのチャネルタップのために少なくとも１つの相関結果に基づいて第１の相関結果を取得し、前記シグナリングメッセージが最終相関結果に基づいて前記制御セグメントで送られたかどうか判断する、ように構成される、請求項１に記載の装置。
【請求項１２】
前記制御セグメントは、第２の多重化スキームに基づいて生成された多数の送信シンボルで第１の多重化シンボルと共に送られる、
請求項１に記載の装置。
【請求項１３】
前記制御セグメントは、前記多数のシンボル周期で送られた多数の直交周波数分割多重（ＯＦＤＭ）シンボルの符号分割多重（ＣＤＭ）で送られる、
請求項１に記載の装置。
【請求項１４】
前記プロセッサは、前記多数のシンボル周期で多数の直交周波数分割多重（ＯＦＤＭ）シンボルを受信し、前記多数のＯＦＤＭシンボルの各々からサイクリックプレフィックスを除去し、前記サイクリックプレフィックスを除去した前記多数のＯＦＤＭシンボルに基づいて前記受信シーケンスを取得する、ように構成される、
請求項１に記載の装置。
【請求項１５】
前記プロセッサは、前記多数のシンボル周期の各々で、前記制御セグメントのために使用されるサブキャリアのセットからの、受信シンボルのセットを取得し、前記シンボル周期のためのサブキャリアを取得するために各シンボル周期で前記受信シンボルのセットを変換し、前記多数のシンボル周期のために取得した多数のサブキャリアに基づいて前記受信シーケンスを形成する、ように構成される、
請求項１に記載の装置。
【請求項１６】
前記プロセッサは、前記シグナリングメッセージを符号化メッセージにマップし、シグナリングシーケンスを取得するために前記符号化メッセージを処理し、前記シグナリングシーケンスに基づいて前記受信シーケンスについて相関を実行する、ように構成される、
請求項１に記載の装置。
【請求項１７】
前記プロセッサは、前記シグナリングメッセージに基づいて複数のウォルシュシーケンスから１つのウォルシュシーケンスを選択し、前記符号化メッセージとして前記選択したウォルシュシーケンスを供給する、ように構成される、
請求項１６に記載の装置。
【請求項１８】
多数の直交周波数分割多重（ＯＦＤＭ）シンボルで送られた時間領域シーケンスを含む受信シーケンスを取得し、前記時間領域シーケンスによって送られたシグナリングメッセージを検出するために前記受信シーケンスについて相関を実行する、ように構成されるプロセッサと、
前記プロセッサに結合されたメモリと、
を備える装置。
【請求項１９】
多数のシンボル周期にまたがる制御セグメントのために受信シーケンスを取得することと、
シグナリングメッセージが前記制御セグメントで送られたかどうか判断するために前記受信シーケンスについて相関を実行することと、
を備える方法。
【請求項２０】
前記シグナリングメッセージに基づいてシグナリングシーケンスを生成することと、
前記シグナリングシーケンスを多数のサブシーケンスに分割することと、なお、１つのサブシーケンスは、前記多数のシンボル周期の各々のためのものである、
前記多数のサブシーケンスの各々を周期的にシフトすることと、
周期的にシフトしたサブシーケンスに基づいて相関シーケンスを形成することと、
をさらに備え、前記相関を実行することは、前記シグナリングメッセージが前記制御セグメントで送られたかどうか判断するために前記受信シーケンスを前記相関シーケンスと相関させることを備える、
請求項１９に記載の方法。
【請求項２１】
前記周期的にシフトすることは、チャネルタップ遅延によって決定された量によって前記多数のサブシーケンスの各々を周期的にシフトすることを備える、
請求項２０に記載の方法。
【請求項２２】
周期的にシフトしたサブシーケンス各々の部分にゼロで埋めることをさらに備え、前記ゼロで埋める部分は、サイクリックプレフィックス長を超える前記チャネルタップ遅延の部分に対応する、
請求項２１に記載の装置。
【請求項２３】
前記シグナリングメッセージに基づいてシグナリングシーケンスを生成することと、
前記シグナリングシーケンスを多数のサブシーケンスに分割することと、なお、１つのサブシーケンスは、前記多数のシンボル周期のためのものである、
前記多数のサブシーケンスの各々にサイクリックプレフィックスを付加することによって第１のシーケンスを取得することと、
前記第１のシーケンスに少なくとも１つのゼロを付加することによって第２のシーケンスを取得することと、
前記第２のサブシーケンスを多数の第２のサブシーケンスに分割することと、なお、１つの第２のサブシーケンスは、前記多数のシンボル周期の各々のためのものである、
前記多数の第２のサブシーケンスの各々からサイクリックプレフィックスを除去することと、
前記サイクリックプレフィックスを除去した多数の第２のサブシーケンスに基づいて相関シーケンスを生成することと、
をさらに備え、前記相関を実行することは、前記シグナリングシーケンスが前記制御セグメントで送られたかどうか判断するために前記受信シーケンスを前記相関シーケンスと相関させることを備える、
請求項１９に記載の方法。
【請求項２４】
多数のシンボル周期にまたがる制御セグメントのために受信シーケンスを取得するための手段と、
シグナリングメッセージが前記制御セグメントで送られたかどうか判断するために前記受信シーケンスについて相関を実行するための手段と、
を備える装置。
【請求項２５】
前記シグナリングメッセージに基づいてシグナリングシーケンスを生成するための手段と、
前記シグナリングシーケンスを多数のサブシーケンスに分割するための手段と、なお、１つのサブシーケンスは、前記多数のシンボル周期の各々のためのものである、
前記多数のサブシーケンスの各々を周期的にシフトするための手段と、
多数の周期的にシフトしたサブシーケンスに基づいて相関シーケンスを形成するための手段と、
をさらに備え、前記相関を実行するための手段は、前記シグナリングシーケンスが前記制御セグメントで送信されたかどうか判断するために前記受信シーケンスを前記相関シーケンスと相関させるための手段と、
を備える、請求項２４に記載の装置。
【請求項２６】
前記周期的にシフトするための手段は、チャネルタップ遅延により決定された量によって前記多数のサブシーケンスの各々を周期的にシフトするための手段を備える、
請求項２５に記載の装置。
【請求項２７】
周期的にシフトしたサブキャリア各々の部分をゼロで埋めるための手段をさらに備え、前記ゼロで埋める部分は、サイクリックプレフィックスを超える前記チャネルタップ遅延の部分に対応する、
請求項２６に記載の装置。
【請求項２８】
前記シグナリングメッセージに基づいてシグナリングシーケンスを生成するための手段と、
前記シグナリングシーケンスを多数のサブシーケンスに分割するための手段と、なお、１つのサブシーケンスは、前記多数のシンボル周期の各々のためのものである、
前記多数のサブシーケンスの各々にサイクリックプレフィックスを付加することによって、第１のサブシーケンスを取得するための手段と、
前記第１のシーケンスに少なくとも１つのゼロを付加することによって第２のシーケンスを取得するための手段と、
前記第２のシーケンスを多数のサブシーケンスに分割するための手段と、なお、１つの第２のサブシーケンスは、前記多数のシンボル周期の各々のためのものである、
前記多数の第２のサブシーケンスの各々からサイクリックプレフィックスを除去するための手段と、
前記サイクリックプレフィックスを除去した多数の第２のサブシーケンスに基づいて相関シーケンスを生成するための手段と、
をさらに備え、前記相関を実行するための手段は、前記シグナリングメッセージが前記制御セグメントで送られたかどうか判断するために前記受信シーケンスを前記相関シーケンスと相関させるための手段を備える、
請求項２４に記載の装置。
【請求項２９】
その上に命令を含むコンピュータ可読媒体であって、前記命令は、
多数のシンボル周期にまたがる制御セグメントのために受信シーケンスを取得するための第１の命令セットと、
シグナリングメッセージが前記制御セグメントで送られたかどうか判断するために前記受信シーケンスについて相関を実行するための第２の命令と、
を備える、コンピュータ可読媒体
【発明の詳細な説明】
【技術分野】
【０００１】
本開示は、一般に通信に関し、特に、受信用の共有制御チャネルのための技法に関する。
【背景技術】
【０００２】
ワイヤレス通信システムは、音声、ビデオ、パケット・データ、メッセージング、ブロードキャスト、などのような様々な通信を提供するために広く展開される。これらのワイヤレスシステムは、利用可能なシステム・リソースの共有によって複数のユーザをサポートすることができるマルチアクセスシステムであり得る。そのようなマルチアクセスシステムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡシステムを含む。
【０００３】
通信システムは、典型的に、順方向リンクおよび逆方向リンク上でデータ伝送をサポートするために様々な制御チャネルを利用する。順方向リンク（あるいはダウンリンク）は、基地局から端末への通信リンクを指し、逆方向リンク（あるいはアップリンク）は、端末から基地局への通信リンクを指す。例えば、端末は、１つ或いは両方のリンク上でデータ送信のための要求する、チャネル制御をレポートする、より強い基地局へのハンドオフを要求する、などのために逆方向リンク上でシグナリングを送り得る。端末によって送られたシグナリングは、有益であるが、システム内のオーバヘッドを表わす。
【０００４】
従って、通信システムで効率的にシグナリングを送受信する技法が技術的に必要である。
【発明の概要】
【０００５】
制御セグメント内のシグナリングメッセージを送受信するための技法がここに記述される。制御セグメントは、多数のシンボル周期に第１の多重化スキーム、例えば、符号分割多重（ＣＤＭ）で送られ得る。制御セグメントは、送信シンボル内で送られ得る。送信シンボルは、第２の多重化スキーム、例えば、直交周波数分割多重（ＯＦＤＭ）あるいはシングルキャリア周波数多重（ＳＣ−ＦＤＭ）、に基づいて生成され得る。
【０００６】
受信機、例えば基地局において、受信シーケンスは、多数のシンボル周期にわたって制御セグメントのために取得され得る。時間領域シグナリングシーケンスは、制御セグメントで送られたと仮定されるシグナリングメッセージに基づいて生成され得る。その後、相関シーケンスは、いくつかの方法のうちの１つでシグナリングシーケンスに基づいて生成され得る。受信シーケンスは、シグナリングメッセージが制御セグメントで送られたかどうかを判断するために相関シーケンスと相関され得る。
【０００７】
相関シーケンスを生成する１つの設計において、シグナリングシーケンスは、多数のサブシーケンスに分割される、ここで、１つのサブシーケンスは、制御セグメントが送られたシンボル周期各々のためのものである。各サブシーケンスは、チャネルタップ遅延によって決定された量によって周期的にシフトする。その後、相関シーケンスは、周期的にシフトしたサブシーケンスすべてを連結することによって形成される。チャネルタップ遅延が送信シンボル（例えば、ＯＦＤＭシンボル）のためのサイクリックプリフィックス長を上回る場合、サイクリックプリフィックス長を上回るチャネルタップ遅延の部分に対応する周期的にシフトしたサブシーケンス各々の部分は、ゼロで埋められ得る。
【０００８】
相関シーケンスを生成する別の設計において、シグナリングシーケンスは、多数のサブシーケンスに分割される。その後、第１のシーケンスは、多数のサブシーケンスの各々にサイクリックプリフィックスを付加することによって得られる。第２のシーケンスは、第１のシーケンスに、チャネルタップ遅延によって決定された、適切な数のゼロを付加することによって得られる。第２のシーケンスは、多数の第２のサブシーケンスに分割され、サイクリックプリフィックスは、第２のサブシーケンス各々から除去される。その後、相関シーケンスは、サイクリックプリフィックスが除去された第２のサブシーケンスのすべてを連結することによって生成される。
【０００９】
開示の様々な態様および特徴は、さらに詳細に以下で記述される。
【図面の簡単な説明】
【００１０】
【図１】ワイヤレス通信システムを示す。
【図２】基地局と端末のブロック図を示す。
【図３】スーパーフレーム構造を示す。
【図４Ａ】ＣＤＭＡ制御セグメントでシグナリングシーケンスを送る処理を説明する。
【図４Ｂ】ＣＤＭＡ制御セグメントでシグナリングシーケンスを送る処理を説明する。
【図５】ＣＤＭＡ制御セグメントのための変調および復調を示す。
【図６】受信シーケンスと仮定されたシグナリングシーケンスとの間の相関を示す。
【図７】受信シーケンスと過度の遅延拡散を有する仮定されたシグナリングシーケンスとの間の相関に対する２つの設計を示す。
【図８】受信シーケンスと過度の遅延拡散を有する仮定されたシグナリングシーケンスとの間の相関に対する２つの設計を示す。
【図９】端末での処理ユニットのブロック図を示す。
【図１０】基地局での処理ユニットのブロック図を示す。
【図１１】シグナリングメッセージを受信するためのプロセスを示す。
【図１２】シグナリングメッセージを受信するためのプロセスを示す。
【図１３】シグナリングメッセージを受信するための装置を示す。
【図１４】シグナリングメッセージを受信するための装置を示す。
【発明を実施するための形態】
【００１１】
図１は、多数の基地局１１０および多数の端末１２０を有するワイヤレス通信システム１００を示す。基地局は、端末と通信する局である。基地局は、さらにアクセスポイント、ノードＢ、発展ノードＢ（evolved Node B）などと称され、アクセスポイント、ノードＢ、発展ノードＢなどの機能性のうちのいくつかあるいはすべてを含み得る。各基地局１１０は、特定の地理的エリア１０２のための通信カバレッジを提供する。用語「セル」は、基地局および／またはその用語が使用されるコンテキストによって決まるそのカバレッジエリアと称されることができる。システム容量を改善するために、基地局のカバレッジエリアは、多数のより小さいエリア、例えば３つのより小さなエリア１０４ａ、１０４ｂ、１０４ｃに分割され得る。より小さなエリア各々は、それぞれの基地局（ＢＴＳ）によってサービスを受け得る。用語「セクタ」は、ＢＴＳおよび／またはその用語が使用されるコンテキストに依存するそのカバレッジエリアと称されることができる。セクタ化されたセルについて、そのセルのすべてのセクタのためのＢＴＳは、典型的にセルのための基地局内の同一の場所に設置される。
【００１２】
端末１２０は、典型的にシステムのいたるところに分散され、各端末は、固定式あるいは移動式であり得る。端末は、さらにアクセス端末、移動局、ユーザ装置、加入者ユニットなどと称され、アクセス端末、移動局、ユーザ装置、加入者ユニット、局などの機能性のいくつかあるいは全てを含み得る。端末は、セルラフォン、携帯情報端末（ＰＤＡ）、ワイヤレス装置、ワイヤレスモデム、ハンドヘルド装置、ラップトップコンピュータなどであり得る。端末は、任意の所定の瞬間で順方向リンクおよび／または逆方向リンク上でゼロ、１つ、或いは多数の基地局と通信し得る。
【００１３】
集中型のアーキテクチャについて、システムコントローラ１３０は、これらの基地局のための調整および制御を提供する。システムコントローラ１３０は、単一のネットワークエンティティあるいはネットワークエンティティの集まりであり得る。分散型のアーキテクチャについて、基地局は、必要に応じて別のものと通信し得る。
【００１４】
ここに記述された技法は、ＣＤＭＡ、ＴＤＭＡ、ＦＤＭＡ、ＯＦＤＭＡおよびＳＣ−ＦＤＭＡシステムのような様々なワイヤレス通信システムに使用され得る。ＣＤＭＡシステムは、符号分割多重（ＣＤＭ）を利用し、符号領域においてこれらの送信を直交化するために異なる直交符号で送信信号を送る。ＴＤＭＡシステムは、時間領域でこれらの送信を直交化するために時分割多重（ＴＤＭ）を利用し、異なるタイムスロットで送信信号を送る。ＦＤＭＡシステムは、周波数領域でこれらの送信を直交化するために周波数多重（ＦＤＭ）を利用し、異なるサブキャリア上で送信信号を送る。ＯＦＤＭＡは、ＯＦＤＭを利用し、ＳＣ−ＦＤＭＡシステムは、ＳＣ−ＦＤＭを利用する。ＯＦＤＭおよびＳＣ−ＦＤＭは、トーン、ビン、などとも称される、多数の直交サブキャリアにシステム帯域幅を分割する。各サブキャリアは、データとともに変調され得る。一般的に、変調シンボルは、ＯＦＤＭで周波数領域において送られ、ＳＣ−ＦＤＭで時間領域において送られる。本技法は、多重化スキームの組み合わせを利用するワイヤレス通信システムでさらに使用され得る。
【００１５】
明確さのために、本技法のある態様は、データチャネルおよび共有制御チャネルのためにＯＦＤＭを利用するシステムについて以下に記述される。本技法は、順方向リンクおよび逆方向リンク上で送られたシグナリングに対して利用され得る。明確さのために、本技法のある態様は、端末によって逆方向リンク上で基地局に送られたシグナリングに対して以下で記述される。
【００１６】
図２は、図１の基地局および端末のうちの１つであり得る、基地局１１０および端末１２０の設計のブロック図を示す。単純化のために、逆方向リンク上で送信するための処理ユニットのみが図２に示される。
【００１７】
端末１２０で、送信（ＴＸ）データおよびパイロットプロセッサ２２０は、逆方向リンク上で送るためにトラフィックデータを受信し、データのために選択された変調パラメータおよび符号化に基づいてデータを処理し、データシンボルを提供する。ここで使用されるように、データシンボルは、データのためのシンボルであり、パイロットシンボルは、パイロットのためのシンボルであり、シグナリングシンボルは、シグナリングまたは制御情報のためのシンボルであり、ゼロシンボルは、ゼロの信号値を有するシンボルであり、シンボルは、典型的に複合値（complex value）である。データ、パイロットおよび／またはシグナリングシンボルは、ＰＳＫ、ＱＡＭ、などのような変調スキームからの変調シンボルであり得る。パイロットは、送信機と受信機の両方によって先験的に既知であるデータである。プロセッサ２２０は、さらにパイロットを処理し、パイロットシンボルを提供する。ＴＸシグナリングプロセッサ２３０は、シグナリングのために選択された符号化および変調パラメータに基づいてシグナリング情報を受信し、処理し、シグナリングシンボルを提供する。変調器（ＭＯＤ）２３２は、（例えば、ＯＦＤＭ、ＳＣ−ＦＤＭ、ＣＤＭ、などのための）データ、パイロットおよびシグナリングシンボルについて変調を実行し、出力チップを提供する。送信機（ＴＭＴＲ）２３４は、出力チップを処理し（例えば、アナログへ変換し、増幅し、フィルタにかけ、アップコンバータアップコンバートする）、アンテナ２３６を介して送信される、逆方向リンク信号を生成する。
【００１８】
基地局１１０で、アンテナ２５２は、端末１２０から逆方向リンク信号を受信し、受信機（ＲＣＶＲ）２５４に受信信号を供給する。受信機２５４は、受信信号を処理し（例えば、フィルタにかけ、増幅し、ダウンコンバートし、デジタル化する）、受信サンプルを提供する。復調器（ＤＥＭＯＤ）２５６は、受信シンボルを得るために（例えばＯＦＤＭ、ＳＣ−ＦＤＭ、ＣＤＭ、などのための）受信サンプルについて復調を実行する。復調器２５６は、チャネルプロセッサ２５８に受信パイロットシンボル、受信（ＲＸ）データプロセッサ２６０に受信データシンボル、ＲＸシグナリングプロセッサ２７０に受信シグナリングシンボルを供給する。チャネルプロセッサ２５８は、受信パイロットシンボルに基づいて端末１２０から基地局１１０にワイヤレスチャネルの応答を推定し、プロセッサ２６０および／または２７０にチャネル推定値（例えば、チャネルインパルス応答推定値、チャネル利得推定値、雑音および干渉推定値、など）を供給する。ＲＸデータプロセッサ２６０は、ＴＸデータプロセッサ２２０による処理に対する相補的な方法で受信データシンボルを処理し、端末１２０のために復号化データを提供する。ＲＸシグナリングプロセッサ２７０は、ＴＸシグナリングプロセッサ２３０による処理に対する相補的な方法で受信シグナリングシンボルを処理し、端末１２０のために復号化シグナリングを提供する。
【００１９】
コントローラ２４０および２８０は、端末１２０および基地局１１０それぞれに操作を命令する。メモリ２４２および２８２は、端末１２０および基地局１１０それぞれのためのプログラムコードおよびデータを格納する。
【００２０】
図３は、システム１００の逆方向リンクのために使用され得る、スーパーフレーム構造３００の設計を示す。送信時系列（transmission timeline）は、スーパーフレームのユニットに分割され得る。各スーパーフレームは、固定あるいは設定可能である、特定の時間継続にわたり得る。各スーパーフレームは、Ｍ個の物理層（ＰＨＹ）フレーム或いは単にフレームを含み得る。各フレームは、Ｔ個のシンボル周期にわたり得る。ここで、ＭとＴは、任意の適切な整数値であり得る。
【００２１】
図３は、さらにサブキャリア構造を示し得る。システム帯域幅は、インデックス１からＫが割り当てられた多数の（Ｋ個の）直交サブキャリアに分割され得る。スペクトルで形成さられたシステムにおいて、合計Ｋ個のサブキャリアのサブセットのみが送信のために使用され、残りのサブキャリアがスペクトルマスク要求を満たすためにシステムを許容するガードサブキャリアとしてサービスされ得る。単純化のために、以下の記述は、合計Ｋ個の全てのサブキャリアが使用可能であると仮定する。合計Ｋ個のサブキャリアは、多数の（Ｓ個の）サブバンドに分割され、各サブバンドは、Ｌ個のサブキャリアを含み得る。ここで、ＳとＬは、例えば、Ｋ＝Ｓ・Ｌの任意の適切な整数値であり得る。
【００２２】
図３は、さらに逆方向リンク上のシグナリングの送信をサポートするＣＤＭＡ制御セグメントの設計を示す。ＣＤＭＡ制御セグメントは、時刻と周波数リソースのブロックを占有し、例えば、チャネル品質インジケータチャネル（ＣＱＩＣＨ）、要求チャネル（ＲＥＱＣＨ）、ビームフォーミングフィードバックチャネル（ＢＦＣＨ）、サブバンドフィードバックチャネル（ＳＦＣＨ）、パイロットチャネル（ＰＩＣＨ）、アクセスチャネル（ＡＣＨ）、などのような様々なシグナリング／制御チャネルをサポートし得る。図３に示される設計では、ＣＤＭＡ制御セグメントは、１つのサブバンド内にＬ個のサブキャリアをカバーし、６番目のＰＨＹフレームごとに送られる。ＣＤＭＡ制御セグメントは、（図３に示されるように）ＣＤＭＡフレームからＣＤＭＡフレームまでのシステム帯域幅にわたってホップする或いは（図３に示されないが）Ｌ個のサブキャリアの固定セットで送られ得る。ＣＤＭＡフレームは、ＣＤＭＡ制御セグメントが送られるフレームである。一般に、ＣＤＭＡ制御セグメントは、任意のレートおよび任意の次元の時間周波数ブロックで送られ得る。多数の端末は、ＣＤＭＡ制御セグメントを共有し得、送るシグナリングがあるときはいつでも制御セグメントでシグナリングを送る。特にシグナリングが散発的に送られる場合、これはシグナリングを送るための各端末に割り当てる専用時間周波数リソースよりもより効率的であり得る。
【００２３】
ＣＤＭＡ制御セグメントで送られるシグナリングは、様々な方法で処理され得る。１つの設計では、与えられたシグナリングチャネル上で送られるＢビットのシグナリングメッセージＭは、以下のように処理され得る。シグナリングメッセージＭは、長さ２Ｂのウォルシュシーケンスであり得る、符号化メッセージＷにこのメッセージをマッピングすることによって符号化され得る。２Ｂ個の異なるメッセージ値は、長さ２Ｂの２Ｂ個の異なるウォルシュシーケンスにマップされ得る。符号化メッセージＷは、チャネル化されたメッセージＶを取得するためにチャネライゼーションシーケンスＦＣとともに繰り返され、チャネル化され得る。チャネライゼーションシーケンスＦＣは、線形フィードバックシフトレジスタ（ＬＦＳＲ）からの偽似乱数の２進数シーケンスに基づいて生成され得る。ＬＦＳＲは、シグナリングチャネルタイプ、メッセージが送られるＰＨＹフレームのためのインデックス、ターゲット基地局のための識別子、などのような様々なファクタに依存し得るシード値とともに初期化され得る。
【００２４】
チャネル化されたメッセージＶは、コンポジットシーケンスを得るために、（もしあれば）他のチャネル化メッセージとともに合計され得る。コンポジットシーケンスは、シグナリングシーケンスを取得するためにスクランブリングシーケンスＦＳとともにさらにスクランブルされ得る。スクランブリングシーケンスＦＳは、ターゲット基地局および端末の両方に対して固有（specific）であり得る。その後、端末がターゲット基地局にシグナリングメッセージＭを送ることを可能にし、ターゲット基地局が端末を識別することを可能にする。メッセージＭのみが送られる場合、その後、このメッセージのためのシグナリングシーケンスＺは、以下のように表され得る：
【数１】
2011523537.tif 000003
【００２５】
ここで、式（１）の乗算は、サンプルごとが基準である。
【００２６】
１つの設計では、１０ビットのシグナリングメッセージＭは、４０９６サンプルを取得するために４回繰り返される、長さ１０２４のウォルシュシーケンスＷにマップされる。その後、繰り返されたウォルシュシーケンスは、４０９６個のサンプルを含むシグナリングシーケンスＺを取得するために４０９６個のサンプルとともにチャネル化され、さらに４０９６サンプルスクランブリングシーケンスＦＳとともにスクランブルされる。
【００２７】
一般に、時間領域シグナリングセグメントＺは、様々な方法でシグナリングメッセージＭのために生成され得る。シグナリングメッセージは、任意の符号化スキームで符号化され得、ウォルシュシーケンスをマップすることが１つの例示の符号化スキームである。シグナリングメッセージは、さらに任意の方法でチャネル化、スクランブルおよび／または処理され得る。シグナリングメッセージＭおよびシグナリングシーケンスＺは、さらに任意の長さを有する。明確さのために、以下の記述の大部分は、シリングシーケンスＺが４０９６個のサンプルを含みＴ＝８シンボル周期のＬ＝５１２個のサブキャリアをカバーするＣＤＭＡ制御セグメントで送られると仮定する。
【００２８】
図４Ａは、ＣＤＭＡ制御セグメントで時間領域シグナリングシーケンスＺを送る処理を説明する。シグナリングシーケンスＺは、４０９６個のサンプルＺ1からＺ4096までを含み、各サブシーケンスＺｍが５１２個の連続サンプルを含む、８個のサブシーケンスＺ1からＺ8に分割されれる。ここで、ｍ＝１，．．．，８である。各サブシーケンスＺｍは、５１２個のサンプルを含む対応する周波数領域のサブシーケンスＡｍを取得するために５１２ポイントの高速フーリエ変換（ＦＦＴ）で周波数領域に変換され得る。４０９６個のシンボルａ1からａ4096を含む周波数領域シーケンスＡは、８つのサブシーケンスＡ1からＡ8によって取得され得る。
【００２９】
図４Ｂは、ＣＤＭＡ制御セグメントに周波数領域シーケンスＡのシンボルの例示のマッピングを示す。サブシーケンスＡ1の５１２個のシンボルａ1からａ512は、シンボル周期ｎでＣＤＭＡ制御セグメントのために使用される５１２個のサブキャリアにマップされ、サブシーケンスＡ2の５１２個のシンボルａ513からａ1024は、シンボル周期ｎ＋１でＣＤＭＡ制御セグメントのために使用される５１２個のサブキャリアにマップされる、などであり、サブシーケンスＡ８の５１２個のシンボルａ3585からａ4096は、シンボル周期ｎ＋７でＣＤＭＡ制御セグメントのために使用される５１２個のサブキャリアにマップされ得る。図４Ｂでｓ1（ｎ）からｓk（ｎ＋７）として示される、データシンボル、パイロットシンボル、および／またはゼロシンボルは、シンボル周期ｎからｎ＋７の各々で残りのＫ−５１２個のサブキャリアにマップされ得る。シンボル周期ｎの合計Ｋ個のシンボルは、Ｓ1として示され、シンボル周期ｎ＋１の合計Ｋ個のシンボルは、Ｓ2として示される、などであり、シンボル周期ｎ＋７の合計Ｋ個のシンボルは、Ｓ8として示される。
【００３０】
図５は、ＣＤＭＡ制御セグメントが送られるシンボル周期に対する変調および復調を示す。明確のために、以下の記述は、ＯＦＤＭがこれらのシンボル周期のために使用されると仮定する。
【００３１】
端末において、各シンボル周期内の合計Ｋ個のシンボルＳｍは、ｍ＝１，．．．８に対してＫ個の時間領域チップを含む有用な部分Ｕｍを取得するためにＫポイント逆高速フーリエ変換（ＩＦＦＴ）で時間領域に変換され得る。有用な部分Ｕｍの最後のＮｃｐ個のチップは、コピーされ、Ｎ＝Ｋ＋Ｎｃｐチップを含むＯＦＤＭシンボルＸｍを形成するために有用な部分の先頭に付加され得る。繰り返された部分は、しばしばサイクリックプレフィックス（ＣＰ）あるいはガードインターバルと称され、Ｎｃｐは、サイクリックプレフィックス長である。サイクリックプレフィックスは、遅延拡散とともにワイヤレスチャネル内の周波数選択フェージングによって生じるシンボル間干渉（ＩＳＩ）に対抗するために使用される。各ＯＦＤＭシンボルＸｍは、Ｎ＝Ｋ＋Ｎｃｐチップ周期と等しい、１つのＯＦＤＭシンボル周期（あるいは単に、１つのシンボル周期）で送信され得る。１つの設計では、Ｋ＝２０４８、Ｎｃｐ＝１２８、およびＮ＝２１７６である。他の値がさらにＫ、ＮｃｐおよびＮに対して使用され得る。
【００３２】
基地局において、Ｎ個のサンプルを含む受信ＯＦＤＭシンボルＲｍは、各シンボル周期で取得され得る。各ＯＦＤＭシンボルの開始は、例えば、端末と基地局との間でワイヤレスチャネルのためのチャネルインパルス応答推定値に基づいて、技術的に既知の様々な技法に基づいて推定され得る。各受信ＯＦＤＭシンボルＲｍのサイクリックプレフィックスは、Ｋ個のサンプルを含む有用な部分
【数２】
2011523537.tif 000004
【００３３】
を取得するために除去される。ＫポイントＦＦＴは、合計Ｋ個のサブキャリアのためのＫ個の受信シンボルを取得するために各々受信した有用な部分
【数３】
2011523537.tif 000005
【００３４】
で実行され得る。これらＫ個の受信シンボルは、ＣＤＭＡ制御セグメントのために使用される５１２個のサブキャリアについて５１２個の受信シンボルを包含するサブシーケンス
【数４】
2011523537.tif 000006
【００３５】
を含む。５１２ポイントＩＦＦＴは、５１２個のサンプルを包含する受信サブシーケンスＹｍを取得するために各受信シンボルサブシーケンス
【数５】
2011523537.tif 000007
【００３６】
について実行され得る。受信シーケンスＹは、８つのサブシーケンスＹ1からＹ8を連結することによって取得され得る。
【００３７】
基地局は、もしあれば、シグナリングメッセージがＣＤＭＡ制御セグメントで送られたことを判断するために受信シーケンスＹを処理し得る。基地局は、そのシグナリングシーケンスが送られたかどうか判断するために受信シーケンスＹを各可能なシグナリングシーケンスと相関させ得る。可能なシグナリングシーケンスのうちの１つである、仮定されたシグナリングシーケンスＣでの受信シーケンスＹの相関は、以下に記述される。
【００３８】
端末と基地局との間のワイヤレスチャネルのインパルス応答は、例えば、受信パイロットシンボルに基づいて、推定され得る。チャネルインパルス応答推定値は、Ｎtapチャネルタップを含み得る。ここで、一般にＮtap≧１である。各チャネルタップは、ｉ＝１，．．．，Ｎtapに対して、特定の複合利得ｈｉおよび特定の遅延ｄｉと関連し得る。チャネルタップ遅延ｄｉは、チップ周期のユニットで与えられ得る。受信シーケンスＹは、Ｎtapチャネルタップの各々に対して仮定されたシグナリングシーケンスと相関し得る。すべてのＮtapチャネルタップに対する相関結果は、シグナリングシーケンスＣがＣＤＭＡ制御セグメントで送られたかどうか判定するために組み合わされ、使用され得る。
【００３９】
図６は、サイクリックプレフィックス長以下である或いはｄｉ≦Ｎcpである遅延ｄｉを有する１つのチャネルタップのための受信シーケンスＹと仮定されたシグナリングシーケンスＣとの間の相関を示す。４０９６サンプルの仮定されたシグナリングシーケンスＣは、シグナリングシーケンスＺのために以上で記述されたように、８つのサブシーケンスＣ1からＣ8に分割され得る。各サブシーケンスＣｍは、サブシーケンスＣｍの最後のＮｉ個のサンプルを取り、サブシーケンスＣｍの先頭にこれらのＮｉ個のサンプルを移動させることによってｄｉチップ周期だけ周期的あるいは循環的にシフトされ得る。Ｎｉは、チャネルタップ遅延ｄｉ、有用な部分（Ｋ）内の出力チップの数、およびサブシーケンス（Ｌ）ごとのサンプル数或いはＮｉ＝Ｌ・ｄｉ／Ｋによって決定される。ここで、ｄｉは、チップ周期のユニットで与えられる。例えば、Ｌ＝５１２個のサンプルのサブシーケンスである場合、サンプルは、Ｋ＝２０４８個のチップの有用な部分、その結果、Ｎｉ＝５１２・ｄｉ／２０４８＝ｄｉ／４で送られる。相関シーケンスは、８つの周期的にシフトされたサブシーケンスの連結により形成され得る。
【００４０】
相関シーケンスは、受信シーケンスＹと以下のように相関させ得る：
【数６】
2011523537.tif 000008
【００４１】
式（２）で示されるように、相関は、相関シーケンスＣ（ｄｉ）の各サンプルと受信シーケンスＹの対応するサンプルを乗算し、これらのシーケンスの長さにわたる積を累算し、相関を得るために累算結果の大きさの２乗を計算することによって実行され得る。式（２）で示されるように、シーケンスＣ（ｄｉ）とＹは、サンプルレートでサンプルされ得る。代替として、シーケンスＣ（ｄｉ）とＹは、時間分解能を改善するために多数回サンプルレートでオーバサンプルさせ、相関は、サブサンプル時間分解能でサンプルにわたって実行され得る。
【００４２】
仮定されたシグナリングシーケンスＣの８つのサブシーケンスＣ1からＣ8は、異なるチャネルタップ遅延ｄ1から
【数７】
2011523537.tif 000009
【００４３】
に対応する異なる量によって周期的にシフトされ得る。各チャネルタップ遅延ｄｉについて、相関は、そのチャネルタップ遅延のための相関結果を得るために式（２）で示されるように実行され得る。すべてのＮtapチャネルタップ遅延のための相関結果は、以下で記述されるように、仮定されたシグナリングシーケンスＣのための最終相関結果を得るために組み合わせられ得る。
【００４４】
図６は、チャネルタップ遅延ｄｉが周期的なサイクリックプレフィックス以下である場合に対する８つのサブシーケンスＣ1からＣ8のサイクリックシフトを示している。これが実例である場合、チャネルタップの大部分のエネルギーは、各ＯＦＤＭシンボルのサイクリックプレフィックスによって捕らえられる。しかしながら、チャネルタップ遅延ｄｉが一般に過剰遅延拡散（excess delay spread）と称される、サイクリックプレフィックス長Ｎｃｐより大きい場合、チャネルタップエネルギーのうちのいくらかは、サイクリックプレフィックスによって捕らえられない。過剰遅延拡散は、様々な方法で扱われ得る。
【００４５】
過剰遅延拡散で相関を実行するための１つの設計では、８つのサブシーケンスＣ1からＣ8は、図６に示されるように、チャネルタップ遅延ｄｉによって各々周期的にシフトされ得る。周期的にシフトされたサブシーケンスは、対応する受信サブシーケンスＹ1からＹ8と相関する。この設計では、過剰遅延に対応する受信シーケンスＹのサンプルは、相関内の雑音として振る舞う。
【００４６】
図７は、受信シーケンス過度Ｙと過剰遅延拡散を有する仮定されたシグナリングシーケンスＣとの間の相関に対する別の設計を示す。４０９６サンプルの仮定されたシグナリングシーケンスＣは、８つのサブシーケンスＣ1からＣ8に分割され得る。各サブシーケンスＣｍは、ｄｉチップ周期（あるいはＮｉサンプル）によって周期的にシフトされ得る。ここで、過剰遅延を有するｄｉ＞Ｎｉである。各周期的にシフトされたサブシーケンスに対して、第１のｄｉ−Ｎcpチップ周期は、サイクリックプレフィックス長の外側の余分な遅延に対応し、第１のｄｉ−Ｎcpチップ周期のための先行ゼロを含む不完全なサブシーケンスを得るためにゼロにセットされ得る。各不完全なサブシーケンスのゼロ設定された部分は、チャネルタップより前に受信した部分に対応する、そのため大抵はノイズを含み有用な信号がない。相関シーケンスＣ’（ｄｉ）は、先行ゼロを有する８つの不完全なサブシーケンスを連結することによって取得され得る。相関シーケンスＣ’（ｄｉ）は、式（２）で示されるように受信シーケンスＹと相関され得る。
【００４７】
図８は、受信シーケンスＹと過剰遅延拡散を有する仮定されたシグナリングシーケンスＣとの間の相関に対する別の設計を示す。４０９６サンプルの仮定されたシグナリングシーケンスＣは、８つのサブシーケンスＣ1からＣ8に分割され得る。その後、サイクリックプレフィックスは、サブシーケンスＣｍの最後のＮcpチップ周期のＮＳサンプルをコピーし、サブシーケンスの最初にこれらのＮＳサンプル付加することによって各サブシーケンスＣｍに付加され得る。ここで、ＮＳ＝Ｌ・Ｎｃｐ／Ｌである。例えば、サブシーケンスがＬ＝５１２サンプルを含む場合、有用な部分は、Ｋ＝２０４８チップを含む。そのとき、ＮＳ＝５１２・Ｎcp／２０４８＝Ｎcp／４である。シーケンスＣCPは、サイクリックプレフィックスを有する８つのサブシーケンスを連結することによって形成され得る。シーケンスＣＺ（ｄｉ）は、シーケンスＣCPの最初にｄｉチップ周期のためのＮｉ個のゼロを付加し、シーケンスＣＣＰの最後のＮｉサンプルを廃棄することによって形成され得る。その後、シーケンスＣＺ（ｄｉ）は、長さＬ＋Ｎcpの８つのサブシーケンスに分割され得る。各サブシーケンスの第１のＮcpチップ周期の第１のＮＳサンプルは、サイクリックプレフィックスに対応し、サブシーケンスＣ”ｍを得るために取り除かれ得る。相関シーケンスＣ”（ｄｉ）は、８つのサブシーケンスＣ”1からＣ”ｍを連結することによって得られ得る。相関シーケンスＣ”（ｄｉ）は、式（２）で示されるように受信シーケンスＹと相関し得る。
【００４８】
明確化のために、相関シーケンスを生成することは、シグナリングシーケンスＺが１６サンプルを含み、Ｔ＝２のシンボル周期でＬ＝８個のサブキャリアをカバーするＣＤＭＡ制御セグメントで送られる簡単な例示のために以下に記述される。簡単化のために、サイクリックプレフィックス長およびチャネルタップ遅延は、（チップ周期の代わりに）サンプル周期のユニットで与えられる。シグナリングシーケンスＺは、以下のように与えられ得る：
【数８】
2011523537.tif 000010
【００４９】
この例において、サイクリックプレフィックス長は、ＮCP＝２サンプル周期であり、チャネルタップ遅延は、ｄｉ＝３サンプル周期である。これは、過剰遅延拡散を備える場合である。
【００５０】
図７に示される設計のために、ｄｉ＝３を有する周期的にシフトされたシーケンスＣ（ｄｉ）は、以下のように与えられ得る：
【数９】
2011523537.tif 000011
【００５１】
相関シーケンスＣ’（ｄｉ）は、各サブシーケンスの第１のｄｉ−Ｎcp＝１サンプルをゼロ設定することによって取得される：
【数１０】
2011523537.tif 000012
【００５２】
図８に示される設計について、シーケンスＣＣＰは、各サブシーケンスに長さＮｃｐ＝２のサイクリックプレフィックスを付加することによって以下のように取得される：
【数１１】
2011523537.tif 000013
【００５３】
ｄｉ＝３を有するシーケンスＣＺ（ｄｉ）は、シーケンスＣＣＰの最初に３つのゼロを付加し、ＣＣＰの最後の３つを廃棄することで以下のように取得される：
【数１２】
2011523537.tif 000014
【００５４】
相関シーケンスＣ’’（ｄｉ）は、シーケンスＣＺ（ｄｉ）の各サブシーケンスの最初のＮCP＝２サンプルを削除することによって以下のように取得される：
【数１３】
2011523537.tif 000015
【００５５】
相関シーケンスＣ’（ｄｉ）がｄｉ＜Ｎcpに対してＣ’’（ｄｉ）シーケンスと同じであることが示されることができる。以上で記述された例に対して、ｄｉ＝１である場合、相関シーケンスは、次のように表わされ得る： 
【数１４】
2011523537.tif 000016
【００５６】
相関シーケンスを生成するためのいくつかの設計は、以上で記述された。相関シーケンスは、さらに他の方法で生成され得る。例えば、図７のシーケンスＣ（ｄｉ）は、超過遅延拡散であるとしてもゼロで埋めずに、相関シーケンスとして直接使用され得る。
【００５７】
相関結果は、式（２）で示されるように各チャネルタップ遅延のために取得され得る。１つの設計では、すべてのＮtapチャネルタップ遅延のための相関結果は、以下のように組み合わせられ得る： 
【数１５】
2011523537.tif 000017
【００５８】
別の設計では、Ｑ（ｄｉ）は、閾値と比較され、閾値を超える場合に累算される或いはそうでなければ廃棄されるかのいずれかである。また別の設計では、最終結果Ｑは、すべてのＮtapチャネルタップに対する最大のＱ（ｄｉ）と等しい。最終結果Ｑは、さらに他の方法で取得され得る。仮定されたシグナリングシーケンスＣが受信されたかどうか判断するために、最終結果Ｑは、閾値Ｑthと以下のように比較される：  
Ｑ＞Ｑthである場合、シグナリングシーケンスＣが受信されたことを示し、  
Ｑ＜Ｑthである場合、シグナリングシーケンスＣが受信されなかったことを示す。  
ここで、Ｑthは、シグナリングの検出のために使用される閾値である。
【００５９】
しきい値Ｑthは、ターゲット誤警報確率（Ｐfa：probability of false alarm）、ターゲットミス検出確率（Ｐmd：probability of error detection）、ターゲットエラー確率（Ｐerr：Probability of error）、などを達成するために選択され得る。誤警報は、なにも送られなかった場合にシグナリングメッセージを検出することを指す。ミス検出（あるいは抹消）は、送られたシグナリングメッセージの検出失敗を指す。メッセージエラーは、別の信号メッセージが送られた場合に１つのシグナリングメッセージを検出することを指す。誤警報確率は、アクセスチャネル上で送られる特定のメッセージ、例えば、アクセスプローブ、に対して適用可能であり得る。ミス確率は、異なる値で送られるメッセージ、例えば、ＣＱＩチャネルで送られるＣＱＩメッセージに適用可能であり得る。ミス検出確率は、両方のタイプのメッセージに対して適用可能であり得る。
【００６０】
閾値Ｑthは、シーケンスＣがシーケンスＹでタイムアライン（time alined）されない場合、Ｑ＞Ｑthの確率がＰ未満であるように選択され得る。ここで、Ｐfa≦Ｐおよび／またはＰerr≦Ｐである。受信シーケンスは、次のように表され得る：
【数１６】
2011523537.tif 000018
【００６１】
仮定されたシグナリングシーケンスＣと受信シーケンスＹとの間の相関は、次のように表され得る：
【数１７】
2011523537.tif 000019
【００６２】
仮定されたシーケンスＣは、可能なシグナリングシーケンスのうちの１つであり、送信されたシグナリングシーケンスＺと等しい或いは等しくない。シーケンスＣがシーケンスＺと等しくないおよび／または受信シーケンスのＺ（ｄｉ）でタイムアラインされない場合、項＜Ｃ，Ｚ（ｄｉ）＞は、典型的に小さい。項＜Ｃ，Ｎ＞は、相関ノイズを表わし、
【数１８】
2011523537.tif 000020
【００６３】
で近似され得る。タップごとの分散σ２は、チャネルインパルス応答推定のチャネルタップのエネルギーに基づいて推定され得る。式（５）から、ノイズエネルギーは、２Ｒの自由度を有するカイ二乗である。ここでＲは、基地局での受信アンテナの数である。しきい値Ｑthは、ノイズエネルギーが時刻のＰパーセントに対してＱthを超えないように選択され得る。Ｐは、次のように与えられ得る：
【数１９】
2011523537.tif 000021
【００６４】
ここで、Ｘは、所望の誤警報確率であり、Ｎhypは、テストされるべき仮定の数である。Ｎhypは、テストされることが可能なシグナリングシーケンスの数およびシグナリングシーケンスがテストされる回数と等しくなり得る。
【００６５】
閾値Ｑthは、さらにターゲットミス検出確率を達成するために選択され得る。仮定されたシグナリングシーケンスＣがシーケンスＺに等しく、受信シーケンスＹでタイムアラインされる場合、式（５）の相関は、次のように表され得る：
【数２０】
2011523537.tif 000022
【００６６】
式（７）は、相関がｄ１の遅延を有する１つのチャネルタップのために実行されると仮定する。項ｈ１＜Ｃ，Ｚ（ｄ１）＞は、相関によって捕らえられた信号部分を表わす。総和の項は、相関によって捕らえられない信号部分を含み、小さく無視できるものであるべきである。ミス検出確率は、
【数２１】
2011523537.tif 000023
【００６７】
が相関シーケンスＣが受信シーケンスＹのＺ（ｄｉ）でタイムアラインされるにもかかわらず閾値Ｑth未満である確率である。均等的に、ミス検出確率は、確率
【数２２】
2011523537.tif 000024
【００６８】
が
【数２３】
2011523537.tif 000025
【００６９】
未満として与えられ得る。ここで
【数２４】
2011523537.tif 000026
【００７０】
がノイズエネルギーのカイ二乗に基づいて決定され得る。
【００７１】
図９は、図２の端末１２０におけるＴＸデータ、パイロットプロセッサ２２０、ＴＸシグナリングプロセッサ２３０、および変調器２３２の設計のブロック図を示す。プロセッサ２２０は、ＴＸデータプロセッサ９２０およびパイロットプロセッサ９２２を含む。プロセッサ９２０は、逆方向リンク上で送るためにデータ受信し、そのデータを処理し（例えば、フォーマットし、符号化し、インターリーブし、シンボルマップする）、変調器２３２にデータシンボルを供給する。プロセッサ９２２は、パイロットを処理し、変調器２３２にパイロットシンボルを供給する。
【００７２】
ＴＸシグナリングプロセッサ２３０内で、符号器９３２は、ＣＤＭＡ制御セグメントで送るためにシグナリングメッセージを受信し、符号化されたメッセージを得るために各メッセージを符号化する。チャネライザおよびスクランブラ９３４は、例えば、式（１）で示すように、時間領域シグナリングシーケンスを得るために、チャネル化されたシーケンスと符号化されたメッセージを乗算し、さらにスクランブリングシーケンスと共にチャネル化されたメッセージにスクランブルをかける。一般に、各メッセージは、シグナリングシーケンスを得るために任意の方法で処理され得る。図９に示されていないが、多数のシグナリングシーケンスは、同時に、合計され、組み合わされ、送られ得る。乗算器９３６は、利得とチャネライザおよびスクランブラ９３４の出力を乗算し、出力シーケンスを提供する。ＦＦＴ／ＤＦＴユニット９３８は、例えば図４に示されるように、乗算器９３６からのシーケンスについてＦＦＴ／ＤＦＴを実行し、対応する周波数領域シーケンスを提供する。
【００７３】
図９に示される設計において、変調器２３２は、ＯＦＤＭ変調を実行する。変調器２３２内で、シンボルからサブキャリアへのマッパ９４０は、プロセッサ９２０からデータシンボルを受信し、プロセッサ９２２からパイロットシンボル受信し、プロセッサ２３０からシグナリングシンボルを受信する。マッパ９４０は、各シンボル周期でデータシンボル、パイロットシンボル、シグナリングシンボル、およびゼロシンボルを適切なサブキャリアにマップし、各シンボル周期内の合計Ｋ個のサブキャリアのためのＫ個の出力シンボルを供給する。ＩＦＦＴ／ＩＤＦＴユニット９４２は、各シンボル周期内のＫ個の出力シンボルについてＫポイントＩＦＦＴ／ＩＤＦＴを実行し、シンボル周期のための有用な部分を供給する。サイクリックプレフィックス挿入ユニット９４４は、各有用な部分にサイクリックプレフィックスを付加し、対応するＯＦＤＭシンボルを供給する。変調器２３２は、さらに他の多重化スキーム、例えばＳＣ−ＦＤＭ、ＣＤＭなど、のための変調を実行し得る。
【００７４】
図１０は、図２の基地局１１０における復調器２５６およびＲＸシグナリングプロセッサ２７０の設計のブロック図を示す。復調器２５６内で、サイクリックプレフィックス除去ユニット１０１２は、受信機２５４からサンプルを受信し、受信したＯＦＤＭシンボル各々のサイクリックプレフィックスを除去し、対応する有用な部分を供給する。ＦＦＴ／ＤＦＴユニット１０１４は、有用な部分各々のＫ個のサンプルについてＫポイントＦＦＴ／ＤＦＴを実行し、Ｋ個の受信シンボルを供給する。シンボルからサブキャリアへのデマッパ１０１６は、各シンボル周期内の合計Ｋ個のサブキャリアのためのＫ個の受信シンボルを得て、チャネルプロセッサ２５８に受信パイロットシンボルを供給し、ＲＸデータプロセッサに受信データシンボルを供給し、ＲＸシグナリングプロセッサ２７０に受信シグナリングシンボルを供給する。チャンネル推定機２５８は、受信パイロットシンボルに基づいてチャネルインパルス応答推定値を導出し、プロセッサ２６０および２７０にチャネルタップを供給し得る。ＲＸデータ処理装置２６０は、受信データシンボルを処理し（例えば、シンボルデマップし、デインターリーブし、復号し）、復号されたデータを供給する。
【００７５】
ＲＸシグナリングプロセッサ２７０内で、ＩＦＦＴ／ＩＤＦＴユニット１０２２は、例えば、図５で示すように、各シンボル周期においてＬ個の受信シグナリングシンボル
【数２５】
2011523537.tif 000027
【００７６】
についてＩＦＦＴ／ＩＤＦＴを実行し、Ｌ個のサンプルを含む対応するサブシーケンスＹmを供給する。仮定されたシグナリングメッセージ各々について、相関シーケンス生成器１０２４は、例えば、図６、７、または８に示すように、Ｎtapチャネルタップ遅延の各々のために相関シーケンスを生成する。各仮定されたシグナリングメッセージについて、相関器１０２６は、例えば、式（２）に示すように、チャネルタップ遅延各々のために受信シーケンスと相関シーケンスとの間で相関させ、式（３）に示すように、全てのＮtapチャネルタップ遅延のために相関結果を組み合わせ、その仮定されたシグナリングメッセージのための最終相関結果を供給する。検出器１０２８は、異なる仮定されたシグナリングメッセージのための最終相関結果を受信し、これらのシグナリングメッセージのいずれかが受信されたかどうか判断する。検出器１０２８は、しきい値Ｑthと各仮定されたシグナリングメッセージの最終相関結果Ｑを比較し、シグナリングメッセージがその比較結果に基づいて送られたかどうか判断し得る。検出器１０２８は、ノイズおよび干渉推定値および／または情報に基づいて閾値を決定し得る。ユニット１０３０は、検出されたシグナリングシーケンス各々のデスクランブリング、非チャネル化（dechannelization）、復号を実行し、対応する復号化されたメッセージを供給する。
【００７７】
図１１は、シグナリングメッセージを受信するためのプロセス１１００の設計を示す。多数のシンボル周期にまたがる制御セグメントのための受信シーケンスが得られ得る（ブロック１１１０）。受信シーケンスは、シグナリングメッセージのための多数のＯＦＤＭシンボルで送られた時間領域シグナリングシーケンスを含み得る。シグナリングメッセージが制御セグメントで送られたかどうか判断するために、相関が受信シーケンスについて実行され得る（ブロック１１２０）。
【００７８】
図１２は、図１１のブロック１１１０および１１２０の設計を示す。ブロック１１１０について、制御セグメントが送られた多数のシンボル周期で多数の送信（例えば、ＯＦＤＭシンボル）が受信され得る（ブロック１２１２）。制御セグメントは、第１の多重化スキーム（例えば、ＣＤＭ）と共に送られ、送信シンボルは、第２の多重化スキーム（例えば、ＯＦＤＭ）に基づいて生成され得る。サイクリックプレフィックスは、合計Ｋ個のサブキャリアのための受信シンボルを取得するために変換され得る、受信した有用な部分を取得するために受信した送信シンボル各々から除去され得る。受信シンボルのセットは、各シンボル周期で制御セグメントのために利用されるサブキャリアのセットから取得され得る（ブロック１２１４）。各シンボル周期の受信シンボルのセットは、シンボル周期のための受信サブシーケンスを取得するために変換され得る（ブロック１２１６）。受信シーケンスは、多数のシンボル周期のために取得された多数の受信サブシーケンスに基づいて（例えば、連結されることによって）形成され得る（ブロック１２１８）。
【００７９】
ブロック１１２０について、シグナリングシーケンスは、例えば、シグナリングシーケンスを取得するために符号化メッセージを処理し（例えば、チャネル化し、スクランブリングする）、符号化メッセージ（例えば、ウォルシュシーケンス）にシグナリングメッセージをマップすることによって、検出されることになるシグナリングメッセージに基づいて生成され得る（ブロック１２２２）。相関シーケンスは、いくつかの方法のうちの１つでシグナリングシーケンスに基づいて生成され得る（ブロック１２２４）。その後、受信シーケンスは、シグナリングメッセージが制御セグメントで送られたかどうか判断するために相関シーケンスと相関し得る。
【００８０】
ブロック１２２４内の相関シーケンスを生成するための１つの設計において、シグナリングシーケンスは、多数のサブシーケンスに分割される。ここで１つのサブシーケンスは、制御セグメントが送られた多数のシンボルシーケンスの各々のためのものである。各サブシーケンスは、例えば、チャネルタップ遅延によって決められた量によって周期的にシフトする。その後、相関シーケンスは、多数の周期的にシフトしたサブシーケンスに基づいて（例えば、連結することによって）形成される。チャネルタップ遅延がサイクリックプレフィックス長を超える場合、サイクリックプレフィックス長を超えるチャネルタップ遅延の部分に対応する周期的にシフトしたサブシーケンス各々の部分は、例えば、図７に示すようにゼロで埋められ得る。
【００８１】
ブロック１２２４内の相関シーケンスを生成するための別の設計において、シグナリングシーケンスは、多数のサブシーケンスに分割される。ここで１つのサブシーケンスは、制御セグメントが送られたシンボル周期各々のためのものである。第１のシーケンスは、多数のサブシーケンスの各々にサイクリックプレフィックスを付加することによって取得され得る。第２のシーケンスは、チャネルタップ遅延によって決まるゼロの数と共に、第１のシーケンスに少なくとも１つのゼロを付加することによって得られる。第２のシーケンスは、多数の第２のサブシーケンスに分割される。ここで、１つの第２のサブシーケンスは、各シンボル周期のためのものである。サイクリックプレフィックスは、第２のサブシーケンス各々から除去される。その後、相関シーケンスは、例えば、図８に示されるように、サイクリックプレフィックスが除去された多数の第２のサブシーケンスに基づいて（例えば、連結することによって）生成される。
【００８２】
ブロック１２２６について、相関結果は、受信シーケンスと相関シーケンスとの間の相関のために取得され得る。相関は、少なくとも１つのチャネルタップの各々のために実行され、最終相関結果は、全てのチャネルタップのための相関結果に基づいて取得され得る。最終相関結果は、推定されたノイズエネルギーに基づいて決定された閾値と比較し得る。シグナリングメッセージが制御セグメントで送られたかどうかは、最終の相関結果と閾値との間の比較に基づいて判断され得る。
【００８３】
相関は、制御セグメントで送られた異なる可能なシグナリングメッセージのために実行され得る。各可能なシグナリングメッセージのための処理は、図１１および図１２のために以上に記述されるように、進められ得る。
【００８４】
図１３は、シグナリングメッセージを受信するための装置の設計を示す。装置１３００は、多数のシンボル周期にまたがる制御セグメントのために受信シーケンスを得るための手段（モジュール１３１０）と、シグナリングシーケンスが制御セグメントで送られたかどうか判断するために受信シーケンスについて相関を実行するための手段（モジュール１３２０）と、を含む。モジュール１３１０および１３２０は、プロセッサ、エレクトロニクスデバイス、ハードウェアデバイス、エレクトロニクスコンポーネント、論理回路、メモリ、など、あるいはそれらの組み合わせを備え得る。
【００８５】
図１４は、図１３のモジュール１３１０および１３２０の設計を示す。モジュール１３１０は、制御セグメントのための多数のシンボル周期内の多数の送信シンボル（例えば、ＯＦＤＭシンボル）を受信するための手段（モジュール１４１２）と、各シンボル周期内の制御セグメントのために使用されるサブキャリアのセットから受信シンボルのセットを得るための手段（モジュール１４１４）と、シンボル周期のための受信サブシーケンスを得るために各シンボル周期で受信シンボルのセットを変換するための手段（ブロック１４１６）と、多数のシンボル周期の間に得られた多数の受信サブシーケンスに基づいて受信シーケンスを形成するための手段と、を含む。モジュール１３２０は、検出されるシグナリングメッセージに基づいてシグナリングシーケンスを生成するための手段（モジュール１４２２）と、シグナリングシーケンスに基づいて相関シーケンスを生成するための手段（モジュール１４２４）と、シグナリングメッセージが制御セグメントで送られたかどうか判断するために相関シーケンスと受信シーケンスを相関するための手段（モジュール１４２６）と、を含む。モジュール１４１２から１４２６は、プロセッサ、エレクトロニクスデバイス、ハードウェアデバイス、エレクトロニクスコンポーネント、論理回路、メモリなど、あるいはそれの任意の組み合わせを含み得る。
【００８６】
ここに記述された技法は、様々な手段によってインプリメントされ得る。例えば、これらの技術はハードウェア、ファームウェア、ソフトウェアあるいはそれのコンビネーションの中でインプリメントされてもよい。ハードウェアのインプリメンテーションについて、エンティティ（例えば、端末または基地局）における処理ユニットは、１つ以上の特定用途向け集積回路（ＡＳＩＣ）、デジタルシグナルプロセッサ（ＤＳＰ）、デジタル信号処理デバイス（ＤＳＰＤ）、プログラム可能論理回路（ＰＬＤ）、フィールドプログラマブルゲートアレイ（ＦＰＧＡ）、プロセッサ、コントローラ、マイクロコントローラ、マイクロプロセッサ、電子デバイス、個々に記述された機能を実行するために設計された他の電子ユニット、コンピュータ、あるいはそれらの組み合わせ内でインプリメントされ得る。
【００８７】
ファームウェアおよび／またはソフトウェアのインプリメンテーションについて、技法は、ここに記述された機能を実行するモジュール（例えば、手順、関数など）でインプリメントされ得る。ファームウェアコードおよび／またはソフトウェアコードは、メモリ（例えば、図２のメモリ２４２あるいは２８２）に格納され、プロセッサ（例えばプロセッサ２４０あるいは２８０）によって実行され得る。メモリは、プロセッサ内にインプリメントされる、あるいはプロセッサ外部にインプリメントされ得る。
【００８８】
開示の以前の説明は、当業者に開示を行なうあるいは使用することを可能にするために提供される。開示に対する様々な修正は、当業者において容易に明白となることになり、ここに定義された一般的な原理は、開示の精神あるいは範囲から外れない他の変形に対して適用され得る。したがって、開示は、ここに記述された例に制限されるよう意図されず、個々に開示された原理および新規な特徴と一致する最も広い範囲が認められるべきである。
【図１】
2011523537.tif 000028
【図２】
2011523537.tif 000029
【図３】
2011523537.tif 000030
【図４Ａ】
2011523537.tif 000031
【図４Ｂ】
2011523537.tif 000032
【図５】
2011523537.tif 000033
【図６】
2011523537.tif 000034
【図７】
2011523537.tif 000035
【図８】
2011523537.tif 000036
【図９】
2011523537.tif 000037
【図１０】
2011523537.tif 000038
【図１１】
2011523537.tif 000039
【図１２】
2011523537.tif 000040
【図１３】
2011523537.tif 000041
【図１４】
2011523537.tif 000042
【国際調査報告】
2011523537.tif 000043
2011523537.tif 000044